(57)【特許請求の範囲】
【請求項１】
放送信号にデータが多重化された多重放送信号を受信する受信手段と、この受信手段にて受信した多重放送信号から、前記データとして番組識別データ及び番組種別データを抽出するデータ抽出手段と、このデータ抽出手段にて抽出した番組識別データと番組種別データとを夫々対応づけて記憶する記憶手段と、前記データ抽出手段にて、前記記憶手段に記憶中の番組識別データに関わる番組識別データ及び番組種別データを抽出すると、この抽出した番組識別データに関わる前記記憶手段に記憶中の番組識別データに対応する番組種別データを、この新たに抽出した番組種別データに記憶更新するデータ更新手段とを有する多重放送受信装置であって、
前記データ抽出手段にて抽出した番組識別データ及び番組種別データが他のネットワークに関わるデータであり、かつ、この新たに抽出した番組種別データが非更新対象データであると判定されると、前記番組種別データの記憶更新を禁止するように、前記データ更新手段を制御する制御手段を有することを特徴とする多重放送受信装置。
【発明の詳細な説明】
【０００１】
【発明の属する技術分野】
本発明は、例えばラジオデータシステム（以下、単にＲＤＳと称する）放送等の多重放送からＲＤＳデータを取得し、このＲＤＳデータに基づき、例えばＰＴＹ割込み機能等の様々なサービス機能を実現するＲＤＳ放送受信装置等の多重放送受信装置に関する。
【０００２】
【従来の技術】
従来、このような多重放送であるＲＤＳ放送は、番組放送にＲＤＳデータを多重化し、このＲＤＳデータに基づき、受聴者に様々なサービス機能を提供するものである。
【０００３】
ＲＤＳデータは、未定義グループを含む０〜１５グループまでの１６種類のグループによって構成されており、近年では、この未定義グループに１４ＡグループがＥＯＮ（Enhanced Other Networks）データ用として使用されている。
【０００４】
この１４ＡグループのＲＤＳデータはＥＯＮデータとし、現在受信中の自ネットワークの情報だけでなく、他のネットワークの情報までも伝送可能となる。
【０００５】
では、このようなＥＯＮデータを伝送する１４Ａグループのデータフォーマットについて説明する。図４は１４Ａグループのデータフォーマット構成を示す説明図である。尚、図４において各コードの後に付されたＴＮは自ネットワーク（This Network）についてのデータを示し、ＯＮは他のネットワーク（Other Networks）についてのデータを示しているものとする。
【０００６】
１４Ａグループは、第１ブロックから第４ブロックまでの４つのブロックで構成している。
【０００７】
第１ブロックには、自ネットワークの番組識別コード（ＰＩ（ＴＮ））が配置されている。このＰＩコードは、例えば国別コードや放送エリアコード等を有し、この同一のＰＩコードの局をサーチすることで、車で移動中であっても同一の番組を継続して受聴することができるものである。
【０００８】
さらに第２ブロックには、例えば自ネットワークの番組種別コード（ＰＴＹ（ＴＮ））等が配置されており、このＰＴＹコードは、０〜３１の３２種類の番組種別（音楽番組、ニュース番組、スポーツ番組等）を識別するための５ビットのコードであり、予め定められた規約に基づいて番組種別が割り当てられている。
【０００９】
さらに第３ブロックには、（０）〜（１５）までの１６種類の情報が配置され、（０）〜（３）には放送局名の文字コードが、（４）にはメソッドＡ形式による他のネットワークの放送局周波数データ（ＡＦ（ＯＮ））が配置されている。
【００１０】
さらに（５）〜（９）にはマップドフリクェンシー形式による自ネットワークの放送局周波数データ及び他のネットワークの放送局周波数データが配置されている。（４）又は（５）〜（９）の放送局周波数データは、各放送局によって予め何れかの形式が選択され、その選択された形式によって放送局周波数データが送信される。（１３）には他のネットワークのＰＴＹコード（ＰＴＹ（ＯＮ））等が配置されている。
【００１１】
第４ブロックには、他のネットワークのＰＩコード（ＰＩ（ＯＮ））が配置されている。
【００１２】
では、このようなデータフォーマット構成の１４Ａグループ等のＲＤＳデータを多重化したＲＤＳ放送を受信するＲＤＳ放送受信装置について説明する。図５は従来のＲＤＳ放送受信装置内部の概略構成を示すブロック図である。
【００１３】
図５に示すＲＤＳ放送受信装置１は、例えばメイン受信系統１０Ａ及びサブ受信系統１０Ｂで構成するダブルチューナ機能を採用し、到来するＲＤＳ放送電波を受信する受信アンテナ２と、この受信アンテナ２にて受信したＲＤＳ放送電波をメイン受信系統１０Ａ及びサブ受信系統１０Ｂに夫々分配するアンテナ分配器３と、メイン系受信系統１０Ａにて同調させたＲＤＳ放送信号を増幅するアンプ４と、このアンプ４にて増幅されたＲＤＳ放送信号を音声出力するスピーカ５と、様々な情報等を表示する表示部６と、様々な情報等を記憶するメモリ７と、このＲＤＳ放送受信装置１全体を制御するシステムマイコン８とを有している。
【００１４】
メイン受信系統１０Ａは、アンテナ分配器３にて分配されたＲＤＳ放送電波から任意周波数のＲＤＳ放送信号に同調して、この同調したＲＤＳ放送信号をアンプ４に出力するメイン用チューナ１１Ａと、任意周波数のＲＤＳ放送信号に同調するための同調周波数信号を生成するメイン用ＰＬＬ１２Ａと、メイン用チューナ１１Ａにて同調したＲＤＳ放送信号からＲＤＳデータ成分を抽出するメイン用ＢＰＦ１３Ａと、このメイン用ＢＰＦ１３Ａにて抽出したＲＤＳデータを解読するメイン用ＲＤＳデコーダ１４Ａとを有している。
【００１５】
さらに、サブ受信系統１０Ｂは、アンテナ分配器３にて分配されたＲＤＳ放送電波から任意周波数のＲＤＳ放送信号に同調するサブ用チューナ１１Ｂと、任意周波数のＲＤＳ放送信号に同調するための同調周波数信号を生成するサブ用ＰＬＬ１２Ｂと、サブ用チューナ１１Ｂにて同調したＲＤＳ放送信号からＲＤＳデータ成分を抽出するサブ用ＢＰＦ１３Ｂと、サブ用ＢＰＦ１３Ｂにて抽出したＲＤＳデータを解読するサブ用ＲＤＳデコーダ１４Ｂとを有している。
【００１６】
システムマイコン８では、メイン受信系統１０Ａのメイン用ＲＤＳデコーダ１４Ａ及びサブ受信系統１０Ｂのサブ用ＲＤＳデコーダ１４Ｂにて抽出したＲＤＳデータをメモリ７に記憶し、このメモリ７に記憶した内容に基づいて様々なサービス機能を実現することができる。
【００１７】
このサービス機能としては、例えば番組一覧表示機能、ＰＴＹ割込み機能やＰＴＹサーチ機能等があげられる。
【００１８】
番組一覧表示機能とは、例えばＰＩコード及びＰＴＹコードを夫々対応付けて記憶したメモリ７の記憶内容に基づき、どの放送局で、どのような番組種別の放送を行っているのかを表示部６に一覧表示する機能である。
【００１９】
また、ＰＴＹ割込み機能とは、例えばＰＩコード及びＰＴＹコードを夫々対応づけて記憶したメモリ７の記憶内容に基づき、図示せぬ操作部で予め指定した任意のＰＴＹコードと同一のＰＴＹコードを有する放送を検出すると、この検出した同一ＰＴＹコードの放送を割込み受信する機能である。
【００２０】
また、ＰＴＹサーチ機能とは、例えばＰＩコード及びＰＴＹコードを夫々対応づけて記憶したメモリ７の記憶内容に基づき、図示せぬ操作部で予め指定した任意のＰＴＹコードに関わる放送をサーチする機能である。
【００２１】
そこで、システムマイコン８においては、これらサービス機能を実現するためにも、そのメモリ７の記憶内容を最新のＲＤＳデータに記憶更新する必要がある。
【００２２】
システムマイコン８においては、メイン受信系統１０Ａにて所定の放送を受信している間は、サブ受信系統１０Ｂにて他の放送を受信し、この受信したＲＤＳ放送信号から最新のＲＤＳデータを抽出し、この抽出した最新のＲＤＳデータをメモリ７に記憶更新するものである。
【００２３】
では、このような従来のＲＤＳ放送受信装置１に関わるＲＤＳデータ更新処理について説明する。
【００２４】
例えばメイン受信系統１０Ａは、ＰＴＹコード“１０”の放送を受信して、その放送のＰＩコードが“Ｃ２０１”とする。つまり、メモリ７には、ＰＩコード“Ｃ２０１”及びＰＴＹコード“１０”夫々対応づけて記憶されているものとする。
【００２５】
この際、サブ受信系統１０Ｂでは、例えばＰＩコード“Ｃ２０２”の放送を受信して、サブ用ＲＤＳデコーダ１４Ｂを通じてＰＩコード“Ｃ２０２”に対するＥＯＮデータを解読し、この解読したＥＯＮデータ中にＰＩコード“Ｃ２０１”が存在し、さらに、このＰＩコード“Ｃ２０１”に対応するＰＴＹコードが存在すると、このＰＩコード“Ｃ２０１”に対応するメモリ７に記憶中のＰＴＹコード“１０”を最新のＰＴＹコードの内容に更新する。
【００２６】
このように従来のＲＤＳ放送受信装置１によれば、メイン受信系統１０Ａのメイン用ＲＤＳデコーダ１４Ａ及びサブ受信系統１０Ｂのサブ用ＲＤＳデコーダ１４Ｂにてメモリ７に記憶中のＰＩコードに対応する最新のＰＴＹコードを抽出すると、このＰＩコードに対応するメモリ７に記憶中のＰＴＹコードを最新のＰＴＹコードの内容に記憶更新するようにしたので、このメモリ７のメモリ内容に基づいて最適なサービス機能を実現することができる。
【００２７】
【発明が解決しようとする課題】
一般的に欧州のＲＤＳ放送の現状においては、自ネットワークのＰＴＹコード（ＰＴＹ（ＴＮ））は、ＰＩコードと一致した正しいＰＴＹコードを配信しているが、他のネットワークに関わるデータ、すなわちＥＯＮデータのＰＴＹコード（ＰＴＹ（ＯＮ））は、一部の地域を除いて未対応となっており、この未対応の地域では、ＰＴＹコードとして固定コード“０”を配信している場合がある。
【００２８】
しかしながら、上記従来の多重放送受信装置としてのＲＤＳ放送受信装置１によれば、メモリ７に記憶中のＰＩコードに対応する最新のＰＴＹコードを抽出すると、このＰＩコードに対応するメモリ７に記憶中のＰＴＹコードを最新のＰＴＹコードの内容に更新するようにしたが、例えばＰＩコード“Ｃ２０１”に対応するＰＴＹコード“１０”がメモリ７に記憶されている場合に、ＥＯＮデータを受信し、このＥＯＮデータ内のＰＩコード“Ｃ２０１”に対応するＰＴＹコード“０”を抽出すると、本来、ＰＴＹコードが“１０”であるにも関わらず、ＰＴＹコードを“１０”から“０”に記憶更新してしまうことから、メモリ７に記憶中のＰＴＹコードを使用する、例えばＰＴＹ割込み機能、ＰＴＹサーチ機能や番組一覧表示機能等のサービス機能を適切に提供することができない。
【００２９】
本発明は上記点に鑑みてなされたものであり、その目的とするところは、ＥＯＮデータから得られる最新のＲＤＳデータを取得しながら、ＰＴＹコードを利用した最適なサービス機能を提供することができる多重放送受信装置を提供することにある。
【００３０】
【課題を解決するための手段】
上記目的を達成するために本発明の多重放送受信装置は、放送信号にデータが多重化された多重放送信号を受信する受信手段と、この受信手段にて受信した多重放送信号から、前記データとして番組識別データ及び番組種別データを抽出するデータ抽出手段と、このデータ抽出手段にて抽出した番組識別データと番組種別データとを夫々対応づけて記憶する記憶手段と、前記データ抽出手段にて、前記記憶手段に記憶中の番組識別データに関わる番組識別データ及び番組種別データを抽出すると、この抽出した番組識別データに関わる前記記憶手段に記憶中の番組識別データに対応する番組種別データを、この新たに抽出した番組種別データに記憶更新するデータ更新手段とを有する多重放送受信装置であって、前記データ抽出手段にて抽出した番組識別データ及び番組種別データが他のネットワークに関わるデータであり、かつ、この新たに抽出した番組種別データが非更新対象データであると判定されると、前記番組種別データの記憶更新を禁止するように、前記データ更新手段を制御する制御手段を有するようにした。
【００３１】
従って、本発明の多重放送受信装置によれば、データ抽出手段にて抽出した番組識別データ及び番組種別データが他のネットワークに関わるデータ、例えばＥＯＮデータで、かつ、この新たに抽出した番組種別データが非更新対象データであると判定されると、この番組種別データの記憶更新を禁止するようにしたので、ＥＯＮデータから得られる最新のデータを取得したとしても、ＥＯＮデータ内の番組種別データ、例えばＰＴＹコードがＥＯＮ未対応とする現在の弊害を踏まえながら、正確なＰＴＹコードの記憶更新を確保し、ひいては正確なＰＴＹコードを利用した最適なサービス機能を提供することができる。
【００３２】
【発明の実施の形態】
以下、図面に基づいて本発明の多重放送受信装置における実施の形態を示すＲＤＳ放送受信装置について説明する。尚、図４に示すＲＤＳ放送受信装置１と重複する構成については同一符号を付すことで、その重複する構成及び動作の説明については省略する。
【００３３】
本実施の形態を示すＲＤＳ放送受信装置１と図４に示すＲＤＳ放送受信装置１とが異なるところは、システムマイコン８Ａの内部構成にある。
【００３４】
図１は本実施の形態を示すＲＤＳ放送受信装置１の要部であるシステムマイコン８Ａ内部の概略構成を示すブロック図である。
【００３５】
図１に示すＲＤＳ放送受信装置１の要部であるシステムマイコン８Ａは、メイン受信系統１０Ａのメイン用ＲＤＳデコーダ１４Ａ及びサブ用受信系統１０Ｂのサブ用ＲＤＳデコーダ１４Ｂにて解読したＲＤＳデータがＥＯＮデータであるか否かを判定するＥＯＮデータ判定部２１と、ＥＯＮデータ内のＰＴＹコードが“０”、つまり非更新対象データであるか否かを判定する非更新対象データ判定部２２と、メモリ７のデータ更新を制御するデータ更新部２３と、このシステムマイコン８Ａを制御する制御部２４とを有している。
【００３６】
非更新対象データ判定部２２は、ＥＯＮデータ判定部２１にてＥＯＮデータであると判定されると、ＥＯＮデータ内のＰＴＹコードが“０”であるか否か、つまり非更新対象データであるか否かを判定するものである。
【００３７】
図２はメモリ７の更新内容を示す説明図である。
【００３８】
図２においてメモリ７は、アドレス毎にＰＩコード、ＰＴＹコード及び他のネットワーク局のＲＤＳデータを夫々対応づけて記憶されているものとする。
【００３９】
制御部２４は、非更新対象データ判定部２２にてＥＯＮデータ内のＰＴＹコードが“０”であると判定されると、このＲＤＳデータのＰＴＹコードのメモリ更新を禁止するようにデータ更新部２３を制御するものである。尚、非更新対象データ判定部２２にてＥＯＮデータ内のＰＴＹコードが“０”であると判定されると、データ更新部２３は、ＲＤＳデータ内のＰＴＹコードのメモリ更新を禁止するようにしたが、このＰＴＹコード以外の、例えばＰＩコード等のＲＤＳデータのメモリ更新を行うものとする。
【００４０】
制御部２４は、ＥＯＮデータ判定部２１にてＲＤＳデータがＥＯＮデータでないと判定されたり、又は非更新対象データ判定部２２にてＰＴＹコードが“０”でないと判定されると、この新たに取得したＲＤＳデータをメモリ更新するようにデータ更新部２３を制御するものである。
【００４１】
尚、請求項記載の多重放送受信装置はＲＤＳ放送受信装置１、受信手段はメイン用チューナ１１Ａ及びサブ用チューナ１１Ｂ、データ抽出手段はメイン用ＲＤＳデコーダ１４Ａ及びサブ用ＲＤＳデコーダ１４Ｂ、データ更新手段はデータ更新部２３、制御手段はＥＯＮデータ判定部２１、非更新対象データ判定部２２及び制御部２４に相当するものである。さらに、請求項記載のデータはＲＤＳデータ、番組識別データはＰＩコード、番組種別データはＰＴＹコードに相当するものである。
【００４２】
次に本実施の形態を示すＲＤＳ放送受信装置１の動作について説明する。図３は本実施の形態を示すＲＤＳ放送受信装置１のＲＤＳデータ更新処理に関わるシステムマイコン８Ａの処理動作を示すフローチャートである。
【００４３】
図３に示すＲＤＳデータ更新処理は、メモリ７に記憶中のＲＤＳデータを、メイン用ＲＤＳデコーダ１４Ａ及びサブ用ＲＤＳデコーダ１４Ｂにて取得した最新のＲＤＳデータに更新する処理である。
【００４４】
図３においてシステムマイコン８Ａは、メイン用ＲＤＳデコーダ１４Ａ又はサブ用ＲＤＳデコーダ１４Ｂにて最新のＲＤＳデータを取得したか否かを判定する（ステップＳ１１）。最新のＲＤＳデータを取得したのであれば、この最新のＲＤＳデータ内にＰＴＹコードがあるか否かを判定する（ステップＳ１２）。
【００４５】
システムマイコン８ＡのＥＯＮデータ判定部２１は、最新のＲＤＳデータ内にＰＴＹコードがあると判定されると、この最新のＲＤＳデータがＥＯＮデータであるか否かを判定する（ステップＳ１３）。
【００４６】
システムマイコン８Ａの非更新対象データ判定部２２は、ＥＯＮデータ判定部２１にて最新のＲＤＳデータがＥＯＮデータであると判定されると、ＥＯＮデータ内のＰＴＹコードが非更新対象データ“０”であるか否かを判定する（ステップＳ１４）。
【００４７】
システムマイコン８Ａの制御部２４は、非更新対象データ判定部２２にてＰＴＹコードが“０”でないと判定されると、このＰＴＹコードを含む最新のＲＤＳデータをメモリ７に記憶更新する通常のＲＤＳデータ更新動作を実行するように、データ更新部２３を制御し（ステップＳ１５）、この処理動作を終了する。
【００４８】
尚、ステップＳ１５の更新動作は、図２（ｂ）に示すようにＰＩコードが“Ｃ２０１”及びＰＴＹコードが“０１”とし、ＥＯＮデータからＰＩコード“Ｃ２０１”に対応するＰＴＹコードとして“０２”を抽出すると、この記憶中のＰＩコード“Ｃ２０１”に対応するＰＴＹコード“０１”を、図２（ｃ）に示すように最新のＰＴＹコード“０２”に更新するものである。
【００４９】
また、ステップＳ１４にて非更新対象データ判定部２２にてＰＴＹコードが“０”であると判定されると、このＰＴＹコードの記憶更新を禁止して、このＰＴＹコード以外の最新のＲＤＳデータのみを記憶更新するＲＤＳデータ更新動作を実行するように、データ更新部２３を制御し（ステップＳ１６）、この処理動作を終了する。
【００５０】
尚、ステップＳ１６の更新動作は、図２（ａ）に示すようにＰＩコードが“Ｃ２０１”及びＰＴＹコードが“０１”とし、ＥＯＮデータからＰＩコード“Ｃ２０１”に対応するＰＴＹコードとして“０”を抽出すると、このＥＯＮデータにおいてＰＴＹコードは正しくない可能性が高いことから、図２（ｂ）に示すようにＰＴＹコード以外のＲＤＳデータのみを更新するものである。
【００５１】
ステップＳ１２にてＲＤＳデータ内にＰＴＹコードがなければ、ＰＴＹコード以外の最新のＲＤＳデータを記憶更新すべく、ステップＳ１６に移行する。
【００５２】
ステップＳ１３にてＲＤＳデータがＥＯＮデータでないと判定されると、ＰＴＹコードを含む最新のＲＤＳデータを記憶更新すべく、ステップＳ１５に移行する。
【００５３】
本実施の形態によれば、メイン用ＲＤＳデコーダ１４Ａ及びサブ用ＲＤＳデコーダ１４Ｂにて取得したＲＤＳデータがＥＯＮデータで、かつ、このＥＯＮデータに含まれるＰＴＹコードが非更新対象データ“０”であると判定されると、このＰＴＹコードの記憶更新を禁止するようにしたので、ＥＯＮデータのＰＴＹコードが未対応とする現在の弊害を踏まえながら、正確なＰＴＹコードの記憶更新を確保し、ひいては正確なＰＴＹコードを使用した最適なサービス機能を提供することができる。
【００５４】
【発明の効果】
上記のように構成された本発明の多重放送受信装置によれば、データ抽出手段にて抽出した番組識別データ及び番組種別データが他のネットワークに関わるデータで、かつ、この新たに抽出した番組種別データが非更新対象データであると判定されると、番組種別データの記憶更新を禁止するようにしたので、他のネットワークに関わるデータ、例えばＥＯＮデータから得られる最新のデータを取得したとしても、ＥＯＮデータの番組種別データ、例えばＰＴＹコードが未対応とする現在の弊害を踏まえながら、正確なＰＴＹコードの記憶更新を確保し、ひいては正確なＰＴＹコードを使用した最適なサービス機能を実現することができる。
【図面の簡単な説明】
【図１】本発明の多重放送受信装置における実施の形態を示すＲＤＳ放送受信装置の要部であるシステムマイコン内部の概略構成を示すブロック図である。
【図２】本実施の形態に関わるメモリの記憶内容を端的に示す説明図である。
【図３】本実施の形態のＲＤＳデータ更新処理に関わるシステムマイコンの処理動作を示すフローチャートである。
【図４】一般的に使用されるＥＯＮデータとして１４ＡグループのＲＤＳデータのデータフォーマット構成を示す説明図である。
【図５】一般的な多重放送受信装置であるＲＤＳ放送受信装置内部の概略構成を示すブロック図である。
【符号の説明】
１  ＲＤＳ放送受信装置（多重放送受信装置）
１１Ａ  メイン用チューナ部（受信手段）
１１Ｂ  サブ用チューナ部（受信手段）
１４Ａ  メイン用ＲＤＳデコーダ（データ抽出手段）
１４Ｂ  サブ用ＲＤＳデコーダ（データ抽出手段）
７  メモリ（記憶手段）
２１  ＥＯＮデータ判定部（制御手段）
２２  非更新対象データ判定部（制御手段）
２３  データ更新部（データ更新手段）
２４  制御部（制御手段）
【図１】
0003916504.tif 000002
【図２】
0003916504.tif 000003
【図３】
0003916504.tif 000004
【図４】
0003916504.tif 000005
【図５】
0003916504.tif 000006